(57)【要約】【課題】茶葉から淹れた茶の味、香りを味わうことができ、茶本来の色を保つことができ、茶の有用成分を多く含む茶汁を残さず飲用することができ、好みの濃さの茶を飲用できる茶葉用飲用容器を提供する。【解決手段】飲用容器１の底部に、茶葉を充填したティーバッグ７を収納するティーバッグ収納部３を備え、該ティーバッグ７の水平部の最大幅は該飲用容器１の口部１９の内径より大きいものとする。該ティーバッグ収納部３の上部はフィルム状体１１で剥離可能に封着され、ティーバッグ収納部３の内部は真空又は窒素充填されている。該フィルム状体１１の下面は該ティーバッグ７の上部に連結具１３を介して連結され、該フィルム状体１１の上面は引き上げ手段１５の下端に連結され、該引き上げ手段１５の上端は把持部１７を備える。該把持部１７は飲用容器１の上部の口部１９に保持され、引き上げ手段１５は複数の茶の色を備える部分２５を有する。【選択図】図１
2018127239.tif 000002
【特許請求の範囲】
【請求項１】
底部にティーバッグ収納部を備え、上部に蓋部を備え、内部に飲料水を充填した飲料用容器であって、
該ティーバッグ収納部内には茶葉を充填したティーバッグが収納され、
該ティーバッグの水平部の最大幅は該飲用容器の口部内径より大きく、
該ティーバッグ収納部上部は水を透過しないフィルム状体で剥離可能に封着され、
該ティーバッグ収納部内部は真空又は窒素充填され、
該フィルム状体下面は該ティーバッグ上部に連結され、
該フィルム状体上面は引き上げ手段の下端に連結され、
該引き上げ手段の上端は把持部を備え、
該把持部は飲用容器上部の口部に保持され、
該引き上げ手段上端の把持部を上方に引くことにより、該引き上げ手段下端に連結された該フィルム状体は該ティーバッグ収納部から剥離し、該ティーバッグが該飲用容器内の飲料水中に没入し、
該引き上げ手段を更に上方に引くことにより、該ティーバッグが該飲用容器口部を通過する時に該口部により圧搾され、ティーバッグから茶汁が絞り出されるようにしたことを特徴とする飲用容器。
【請求項２】
前記引き上げ手段は茶葉から淹れた複数の茶の色を備えることを特徴とする請求項１記載の飲用容器。
【請求項３】
前記ティーバッグは、可撓性を有する圧搾手段に内設させることを特徴とする請求項１又は請求項２記載の飲用容器。
【請求項４】
前記口部には可撓部を備えさせ、該可撓部を外側から指で押圧することにより、前記ティーバックを揉むことができるようにしたことを特徴とする請求項１ないし請求項３のいずれかに記載の飲用容器。
【発明の詳細な説明】
【技術分野】
【０００１】
本発明は、茶葉の酸化を防止して茶葉から淹れた茶の味、香りを味わうことができ、茶本来の色を保つことができ、茶の有用成分を多く含む茶汁を残さず飲用でき、好みの濃さの茶を飲用できる茶葉用の飲用容器に関する。
【背景技術】
【０００２】
従来のペットボトルや缶で販売されている緑茶、紅茶、ウーロン茶等は、茶葉から抽出した茶を充填してあるため、茶が酸化し、味、香り、色等が損なわれる。また、茶の濃さは製造メーカによって決められてしまい、自分の好みの濃さの茶を飲用することができない。
【０００３】
特許文献１（特開２００８−１７４２９８号）において、飲用容器の底部に空間を設け、そこに粉体の茶と開封具とを収納し、飲用時には容器底を一押しすれば液体と粉体の茶とを隔離するための膜を切り開いて粉体の茶と液体とを混ぜ合わせることができる飲料物用２層容器が開示されたが、粉体の茶を使用するため、茶葉から淹れた茶の味、香りを味わうことができない、本来の色を保つことができない、好みの濃さの茶を飲用することができないという問題点がある。
【０００４】
特許文献２（特許第５７５７４３３号）において、ペットボトル用ティーバッグ及びその製造方法が開示されたが、ティーバッグに充填された茶の酸化を防止する方法については何ら開示されておらず、ティーバッグをペットボトルに入れるまでにティーバッグに充填された茶葉が空気に触れて酸化するため、新鮮な茶葉から淹れた茶の味、香りを味わうことができず、茶本来の色を保つことができないという問題点がある。また、茶には、カテキン類、ビタミン類などの有用成分が豊富に含有されており、健康を増進できることが知られているが、該有効成分を多く含む茶汁を飲用することができないという問題点がある。
【先行技術文献】
【特許文献】
【０００５】
【特許文献１】特開２００８−１７４２９８号公報
【特許文献２】特許第５７５７４３３号
【発明の概要】
【発明が解決しようとする課題】
【０００６】
本発明は、茶又は茶葉の酸化により茶の味、香り、色、有用成分を損なう、好みの濃さの茶を飲用することができないという問題点を解決し、茶葉から淹れた茶の味、香りを味わうことができ、茶本来の色を保つことができ、新鮮な茶の有用成分を多く含む茶汁を残さず飲用することができ、好みの濃さの茶を飲用できる茶葉用の飲用容器を提供することを目的とする。
【課題を解決するための手段】
【０００７】
本発明者は上記目的を達成するため本発明は、下記飲用容器を提供するものである。
【０００８】
（１）底部にティーバッグ収納部を備え、上部に蓋部を備え、内部に飲料水を充填した飲料容器であって、
該ティーバッグ収納部内には茶葉を充填したティーバッグが収納され、
該ティーバッグの水平部の最大幅は該飲用容器の口部内径より大きく、
該ティーバッグ収納部上部は水を透過しないフィルム状体で剥離可能に封着され、
該ティーバッグ収納部内部は真空又は窒素充填され、
該フィルム状体下面は該ティーバッグ上部に連結され、
該フィルム状体上面は引き上げ手段の下端に連結され、
該引き上げ手段の上端は把持部を備え、
該把持部は飲用容器上部の口部に保持され、
該引き上げ手段上端の把持部を上方に引くことにより、該引き上げ手段下端に連結された該フィルム状体は該ティーバッグ収納部から剥離し、該ティーバッグが該飲用容器内の飲料水中に没入し、
該引き上げ手段を更に上方に引くことにより、該ティーバッグが該飲用容器口部を通過する時に該口部により圧搾され、ティーバッグから茶汁が絞り出されるようにしたことを特徴とする飲用容器である（請求項１）。
【０００９】
（２）前記引き上げ手段は複数の茶の色を備えることを特徴とする（請求項２）。
【００１０】
（３）前記ティーバッグは、可撓性を有する圧搾手段に内設させることを特徴とする（請求項３）。
【００１１】
（４）前記口部には可撓部を備えさせ、該可撓部を外側から指で押圧することにより、前記ティーバックを揉むことができるようにしたことを特徴とする（請求項４）。
【発明の効果】
【００１２】
請求項１の発明によれば、ティーバッグに充填された茶葉の酸化を防止することにより、新鮮な茶葉から淹れた茶本来の味、香りを味わうこと及び茶本来の色を保つことができ、ティーバッグを圧搾して茶汁を絞り出すことにより茶の有用成分を多く含む茶汁を飲用することができる茶葉用の飲用容器を提供することできる。
【００１３】
請求項２の発明によれば、引き上げ手段の供えられた複数の茶の色を指標として茶の濃さを判断することが可能となり、好みの濃さの茶を飲用できる。
【００１４】
請求項３の発明によれば、該圧搾手段によりティーバッグを更に圧搾することができ、茶の有用成分を多く含む茶汁を残さず飲用することができる。
【００１５】
請求項４の発明によれば、該飲用容器口部の可撓部の外側から押圧してティーバックを揉むことにより、ティーバッグ中に残留する茶の有用成分を多く含む茶汁を絞り落とすことができる。
【図面の簡単な説明】
【００１６】
【図１】図１は、本発明にかかる茶葉用の飲用容器の正面断面図である。
【図２】図２は、該飲用容器においてティーバッグが飲料水中に没入した状態を示す正面断面図である。
【図３】図３は、該飲用容器においてティーバッグを圧搾する状態を示す正面断面図である。
【図４】図４は、該飲用容器からティーバッグを除いた状態を示す正面断面図である。
【図５】図５は、該フィルム状体上面と引き上げ手段の下端との連結の他の例を示す部分正面断面図である。
【図６】図６は、該引き上げ手段上端の把持部が飲用容器上部の口部に保持される状態の他の例を示す正面図である。
【図７】図７は、圧搾手段を備えたティーバッグを示す拡大正面図である。
【図８】図８は、該飲用容器口部の可撓部の一例を示す部分正面図である。
【図９】図９は、図８のＩＸ−ＩＸ端面図である。
【発明を実施するための形態】
【００１７】
図１は、本発明にかかる茶葉用の飲用容器１の一例を示す正面断面図である。飲用容器１は底部にティーバッグ収納部３を備え、上部に蓋部２１を備え、内部に飲料水５を備える。該ティーバッグ収納部３内には茶葉９を充填したティーバッグ７を収納する。該ティーバッグ７の水平部の最大幅は該飲用容器１の口部１９の内径より大きいものとする。該ティーバッグ収納部３の上部はフィルム状体１１で剥離可能に封着され、ティーバッグ収納部３の内部は真空又は窒素充填されている。該フィルム状体１１の下面は該ティーバッグ７の上部に連結具１３を介して連結され、該フィルム状体１１の上面は引き上げ手段１５の下端に連結され、該引き上げ手段１５の上端は把持部１７を備える。該把持部１７は飲用容器１の上部の口部１９に保持せしめる。該把持部１７を飲用容器１の上部の口部１９に保持せしめる手段はどのような手段を用いてもよく、例えば、図１のように口部１９の内面側部に保持させてもよいし、図６のように口部１９の上端に保持させてもよい。引き上げ手段１５には、複数の茶の色を備える部分２５を備える。
【００１８】
該飲用容器１はどのような材料からなるものでもよく、例えばペットボトル等である。ティーバッグ７に充填する茶葉９は緑茶、紅茶、ウーロン茶などの茶葉を用いることができる。ティーバッグ７の形状は四角形の袋状、三角錐状などどのような形状でもよい。該フィルム状体１１は水を透過しない性質を備えていればよく、一例としてポリエチレンフイルム等の合成樹脂フィルムを用いる。該フィルム状体１１の下面は該ティーバッグ７の上部とは糸や棒状体等を介して連結してもよい。該引き上げ手段１５は棒状体、紐、糸、可撓性を有する細幅の板状体等が好ましい。該ティーバッグ収納部３の内部を真空又は窒素が充填された状態にするには、一例として、該ティーバッグ収納部３の底部に底蓋３ＩＸを設け、ティーバッグ収納部３の内部は真空又は窒素充填した後に該底蓋３ａを締めることにより達成できる。
【００１９】
複数の茶の色を備える部分２５は、ティーバッグ７に充填する茶葉９から茶を淹れたときの茶の色とし、濃い茶の色から薄い茶の色までを備えさせる。茶の色は、少なくとも、濃い茶の色、一般的な濃さの茶の色、薄い茶の色の３種類に分けるのが好ましく、更に好ましくは薄い茶の色２５ａ、やや薄い茶の色２５ｂ、一般的な濃さの茶の色２５ｃ、やや濃い茶の色２５ｄ、濃い茶の色２５ｅの５種類とする。また、濃い茶の色から薄い茶の色までをグラデーションにしてもよい。
【００２０】
図２は、飲用容器１においてティーバッグ７が飲料水５に没入した状態の一例を示す正面断面図である。蓋部２１を外し、引き上げ手段１５上端の把持部１７を上方に引くことにより、該引き上げ手段１５下端に連結されたフィルム状体１１はティーバッグ収納部３から剥離し、該ティーバッグ７が該飲用容器１内の飲料水５に没入する。ティーバッグ７に充填された茶葉９は酸素に一切触れることなく飲料水５に没入することにより、茶葉９は酸化しない新鮮な状態の茶葉９から浸出される茶を作ることができる。
【００２１】
ティーバッグ７が飲料水５に没入した後、把持部１７を上下方向に動かすことにより、茶葉から茶の成分が浸出し、その浸出時間により茶を好みの濃さにすることができる。その際、茶成分が浸出した飲料水の色を、複数の茶の色を備える部分２５の色を指標として比較することにより、茶の濃さを判断することができる。
【００２２】
図３は、飲用容器１においてティーバッグ７を圧搾する状態の一例を示す正面断面図である。  該引き上げ手段１５を更に上方に引くことにより、該ティーバッグ７は該飲用容器１の口部１９を通過する時に該口部１９により圧搾され、ティーバッグ７から茶汁２３が絞り出されることにより、茶の有用成分を多く含む茶汁２３を飲用することができる。
【００２３】
図４は、飲用容器１からティーバッグ７を除いた状態の一例を示す正面断面図である。ティーバッグ７は茶汁２３が絞り出された状態であるので、茶汁２３が垂れ落ちる心配なく捨てることができる。
【００２４】
図５は、該フィルム状体１１の上面と引き上げ手段１５の下端との連結の他の例を示す部分正面断面図である。引き上げ手段１５は、該フィルム状体１１の水平方向の端部と連結することにより、該引き上げ手段１５を上方に引いたときに該フィルム状体１１がティーバッグ収納部３から剥離しやすくなる。
【００２５】
図７は、圧搾手段２７を備えたティーバッグ７の一例を示す拡大正面図である。該圧搾手段２７は可撓性を有することにより、該ティーバッグ７が飲用容器１の口部１９を通過する際に、該圧搾手段２７が該ティーバッグ７を強く圧搾して茶汁２３を絞り切ることができ、茶汁２３を残さず飲用することができる。該圧搾手段２７は、該ティーバッグ７が飲用容器１の口部１９を通過する際に飲料水中に茶汁２３が落ちる形状であれば、形状は問わないものであり、図５に示す形状以外に網状が考えられる。
【００２６】
図８は、該飲用容器口部の可撓部の一例を示す部分正面図である。図９は、図８のＩＸ−ＩＸ端面図である。該口部９の上方に可撓部２０を備えさせ、該可撓部２０は可撓性の低い部分２０ａと可撓性の高い部分２０ｂとからなる。該引き上げ手段１５を上方に引き、口部１９をティーバッグ７が通過する際に、可撓性の高い部分２０ｂを外側から指で押圧してティーバック７を揉んでティーバック７に残留する茶汁を飲用容器１中に絞り出すことにより、有用成分を多く含む茶汁を余すとことなく飲用できる。
【符号の説明】
【００２７】
１  飲用容器
３  ティーバッグ収納部
３ａ  ティーバッグ収納部底蓋  
５  飲料水
７  ティーバッグ
９  茶葉  
１１  フィルム状体  
１３  連結具
１５  引き上げ手段
１７  把持部
１９  口部
２１  蓋部
２０  可撓部
２０ａ  可撓性が低い部分
２０ｂ  可撓性が高い部分
２３  茶汁
２５  複数の茶の色を備える部分
２５ａ  薄い茶の色
２５ｂ  やや薄い茶の色
２５ｃ  一般的な濃さの茶の色
２５ｄ  やや濃い茶の色
２５ｅ  濃い茶の色
２７  圧搾手段
【図１】
2018127239.tif 000003
【図２】
2018127239.tif 000004
【図３】
2018127239.tif 000005
【図４】
2018127239.tif 000006
【図５】
2018127239.tif 000007
【図６】
2018127239.tif 000008
【図７】
2018127239.tif 000009
【図８】
2018127239.tif 000010
【図９】
2018127239.tif 000011